【事件の表示】
　特願２００１−　７００４２「塗工装置及び塗工紙の製造方法」拒絶査定不服審判事件〔平成１４年　９月１７日出願公開、特開２００２−２６３５４９〕について、次のとおり審決する。
【結　論】
　本件審判の請求は、成り立たない。
【理　由】
１．手続の経緯
　本件出願は、平成１３年３月１３日に出願されたものであって、平成１８年１０月６日付けで拒絶理由が通知され、同年１２月１５日に意見書及び手続補正書が提出されたが、平成１９年２月７日付けで拒絶をすべき旨の査定がなされ、同年３月１４日に同拒絶査定に対する審判請求がなされたものである。
　
２．本願発明
　本願の特許請求の範囲の請求項１に係る発明（以下、「本願発明」という。）は、平成１８年１２月１５日に提出された手続補正書により補正された明細書及び出願当初の図面の記載からみて、その明細書の特許請求の範囲の請求項１に記載された事項により特定されるものと認められるところ、次のとおりのものである。 
　
　「互いに圧接してニップ部を形成する２本のアプリケータロールをそなえ、該ニップ部を通過するウェブ表面上に該２本のアプリケータロール上の塗工液膜を転写，塗布する塗工装置において、
　該ニップ部通過後の該ウェブを圧縮空気によって該ウェブに接触することなく該２本のアプリケータロールのうちの一方の表面側に押圧して該一方のアプリケータロールに抱かせた状態で該ウェブを移送させる空気浮上式ミニターンバーが、該ニップ部よりも下流側部分の該一方のアプリケータロール表面に近接した位置に設けられたことを特徴とする、塗工装置。」
　
３．当審の判断
（１）引用例等
１）特開平７−１６３９２４号公報（以下、「引用例」という。）
２）国際公開９９／６７４６７号（以下、「参考文献」という。）
　
（２）引用例の記載事項
　原査定の拒絶の理由において引用された、本願出願前に頒布された刊行物である上記引用例には、次の事項が記載されている。（なお、下線は引用箇所等を特に明示するために当審で付した。）
　
ア．「【請求項１】  １．１  互いに平行に配置されており、かつ紙ウェブ通過のためのロール間隙を互いに形成している２つのロールと、
１．２  
ロール間隙において外面から紙ウェブの一面上に塗料コーティングを移す
１．３  ロール間隙の次に接続されており、かつ乾燥した紙ウェブを案内するガイド部材とを有しており、
１．４  
ガイド部材が支持空気ビームであって、それ等の支持空気ビームが紙ウェブと、紙ウェブに面した支持空気ビームの面との間に支持空気クッションを作り
１．５  
ロール間隙後の紙ウェブが少なくとも一度方向変換するように、支持空気ビームが配置されている
１．６  
少なくとも１つの支持空気ビームがロール間隙の後に直接接続されており
１．７  
直接後に接続された支持空気ビームが、双方のロール間隙から、ロール直径の約０．３倍ないし約１倍の距離に配置されている
　
イ．「【０００４】上記の種類のコーティング装置が実際によく使用されてきた。しかしながら、この場合、今まで十分に解決されていない問題がある。それは、いわゆる
オレンジの皮効果（Orangen schalen effekt）
【０００５】
【発明が解決しようとする課題】本発明の課題は、請求項１の前文によるコーティング装置において、オレンジの皮効果を、取り立てて言うほどの追加費用もなく、さらに良い方法で減少させるか、または完全に除去することにある。」（公報段落０００４及び０００５）
　
ウ．「【０００８】本発明者は、
今まで注目されなかった２つのパラメーターが重要であることを発見した。その１つのパラメーターは、出口角（abzugswinkel）、すなわちコーティング（strich）塗布後紙ウェブがロール間隙を出る角度
【０００９】したがって発明者は、その出口角の重要性の発見後、有効な引張り応力をウェブに加えるため、適切な対策を求めた。この対策が、少なくとも１つの支持空気ビームがロール間隙の後に直接接続されており、直接後に接続された支持空気ビームが、双方のロール間隙から、ロール直径の０．３倍ないし１倍（好ましくは０．５倍ないし０．８倍）の距離に配置されていることを特徴とすることである。それによって理想な関係を作り出すことができることが示された。」（公報段落０００８及び０００９）
　
エ．「【００１７】
図３ないし図６は、それぞれ概略的に、塗布ステーション、その次に接続したガイド部材
を示している
【００１８】図３による塗布ステーションは、２つのロール１０、２０を含む。この双方の塗布ロールの一方、つまりロール１０には、ノズル塗布装置１０．１が配置されている。他方のロール２０は、そのような塗布装置はない。紙ウェブ１１は矢印Ａの方向に、双方のロール１０および２０の外面によって形成されているロール間隙を通過する。ロール間隙の次に支持空気ビーム１２の形のガイド部材が続いている。支持空気ビームは概略的にのみ図示されている。それは中空断面のビームから成っており、これは紙ウェブ１１に面した側に多数の孔１２．１を有している。これ等の孔１は支持空気ビーム１２の全長に亘って延びている。したがって紙ウェブ１１の全幅に亘って延びている。
【００１９】支持空気ビーム１２に赤外線乾燥ライン１３が接続しており、これに浮動乾燥ライン１４が続いている。これもまた支持空気ビーム１４．１、１４．２、１４．３を有しており、これ等は輪廓のみで示されている。浮動乾燥ライン１４の空気出口速度は２０ｍ／ｓと８０ｍ／ｓとの間であることが好ましい。
【００２０】
図から明らかなように、紙ウェブ１１は、下記のように支持される。紙ウェブ１１は双方のロールの頂点の後に、最初に特定の接触角Ｘ（好ましくは、約０゜ないし約５゜である）だけロール１０に巻き付く。紙ウェブ１１はそれから支持空気ビーム１２に巻き付く、その場合に紙ウェブ１１は再び僅かな方向変換を受ける
・・・
【００２３】図４では、再び２つの塗布ロール１０および２０を有しているコーティング装置が判る。
図２による実施例と反対に、双方の塗布ロールにそれぞれ１つのノズル塗布装置１０．１または１０．２が配置されている
【００２４】塗布間隙の次に２つの支持空気ビーム２２および２３が続いている。これ等の支持空気ビームは互いに対向した側に配置されている。これに赤外線ライン２４、浮動ライン２５および再び赤外線ライン２６が続いている。この場合には、上記の３つの乾燥ラインは、（紙ウェブの走行方向に見て）同じ長さである。
【００２５】
紙ウェブ１１がロール間隙を出る場合に、紙ウェブは、非常に僅かだけロール１０に巻き付く。接触角Ｘが非常に小さいので、図では判らない
・・・
【００２７】
図６に示された実施例では、紙ウェブ１１は再び両面をコーティングされている。ロール間隙の次に最初にウェブの一面側に配置された支持空気ビーム４０が続いており
【００２８】
この本発明による配置は（特に、図６の非常に少ない間隔Ｅを参照）、ロール１０からのウェブ１１のはっきりと規定した分離点を保証する
　
オ．上記ア．及びエ．の記載から、塗布ロール１０及び塗布ロール２０は、「互いに圧接してロール間隙を形成している」ことが分かる。
　
カ．上記ア．ないしエ．の記載及び図３ないし図６から、「支持空気ビーム」が「ロール間隙通過後の紙ウェブ１１を支持空気クッションによって紙ウェブ１１に接触することなく僅かだけ塗布ロール１０に巻き付けて移送される」ように設けられていることが分かる。
　
　上記ア．ないしカ．及び各図の記載によれば、上記引用例には、次の発明が記載されていると認められる。
　
　「互いに圧接してロール間隙を形成する塗布ロール１０及び塗布ロール２０をそなえ、該ロール間隙を通過する紙ウェブ１１表面上に該塗布ロール１０及び塗布ロール２０上の塗料コーティングを塗布するコーティング装置において、
　該ロール間隙通過後の該紙ウェブ１１を支持空気クッションによって紙ウェブ１１に接触することなく僅かだけ塗布ロール１０に巻き付けて移送される支持空気ビーム４０が、該ロール間隙よりも下流側部分のロール直径の約０．３倍ないし約１倍の位置に設けられた、コーティング装置。」（以下、「引用例記載の発明」という。）
　
（３）対比
　本願発明と引用例記載の発明とを対比すると、構成又は機能からみて、引用例記載の発明の「ロール間隙」は、本願発明の「ニップ部」に相当する。以下同様に、引用例記載の発明の「塗布ロール１０及び塗布ロール２０」は本願発明の「２本のアプリケータロール」に、「紙ウェブ１１」は「ウェブ」に、「塗料コーティングを塗布する」は「塗工液膜を転写，塗布する」に、「コーティング装置」は「塗工装置」に、「支持空気ビーム４０」は「空気浮上式ミニターンバー」に、それぞれ相当する。
　また、引用例記載の発明の「支持空気クッションによって紙ウェブ１１に接触することなく僅かだけ塗布ロール１０に巻き付けて移送される」は、引用例の特に図６に係る態様の構成及び「ロール１０（一方のロール）からのウェブ１１のはっきりと規定した分離点を保証する」という機能からみて、支持空気ビーム４０が支持空気クッションによって塗布ロール１０側へ紙ウェブ１１を押圧するよう設けられていることから、本願発明の「圧縮空気によって該ウェブに接触することなく該２本のアプリケータロールのうちの一方の表面側に押圧して該一方のアプリケータロールに抱かせた状態で該ウェブを移送させる」に相当する。
　さらに、引用例記載の発明の「該ロール間隙よりも下流側部分のロール直径の約０．３倍ないし約１倍の位置」は、「該ニップ部よりも下流側部分の所定の位置」という限りにおいて、本願発明の「該ニップ部よりも下流側部分の該一方のアプリケータロール表面に近接した位置」に相当する。
　
　してみると、両者は、
　「互いに圧接してニップ部を形成する２本のアプリケータロールをそなえ、該ニップ部を通過するウェブ表面上に該２本のアプリケータロール上の塗工液膜を転写，塗布する塗工装置において、
　該ニップ部通過後の該ウェブを圧縮空気によって該ウェブに接触することなく該２本のアプリケータロールのうちの一方の表面側に押圧して該一方のアプリケータロールに抱かせた状態で該ウェブを移送させる空気浮上式ミニターンバーが、該ニップ部よりも下流側部分の所定の位置に設けられた、塗工装置。」の点で一致し、以下の点で相違する。
　
・相違点
　空気浮上式ミニターンバーの設置位置がニップ部よりも下流側部分の所定の位置であることに関して、本願発明では、「該一方のアプリケータロール表面に近接した位置」であるのに対して、引用例記載の発明では、「ロール直径の約０．３倍ないし約１倍の位置」である点（以下、「相違点」という。）。
　
（４）判断 
　上記相違点について検討する。
　本願発明の「該一方のアプリケータロール表面に近接した位置」なる発明特定事項によって、本願発明では、空気浮上式ミニターンバーが、一方のアプリケータロール表面に対して、近接していることは特定されているものの、その程度は具体的に特定されていない。他方、引用例記載の発明の「ロール直径の約０．３倍ないし約１倍の位置」なる事項によって、引用例記載の発明では、空気浮上式ミニターンバー（支持空気ビーム４０）が、ニップ部（ロール間隙）に接近した態様が示唆されており、空気浮上式ミニターンバーが、ニップ部に近接した結果、一方のアプリケータロール表面に対して、ロール直径の最大（２＾（１／２）−１）倍以内の位置に配置されることになる。そして、本願発明の前記発明特定事項及び引用例記載の発明の前記事項はいずれも、「ニップ部通過後のウェブを圧縮空気によってウェブに接触することなく２本のアプリケータロールのうちの一方の表面側に押圧して一方のアプリケータロールに抱かせた状態で該ウェブを移送させる」という作用についても同様であるから、当業者であれば、引用例記載の発明において、上記相違点に係る本願発明のように特定することは、単なる表現の変更、又は、単なる配置の好適化に過ぎず、格別の創作力を要することなく想到できたことである。
　なお、審判請求人は、平成１９年３月１４日付けの審判請求書の「請求の理由」において、「一方、本願発明（請求項１，７）はいずれも、「圧縮空気により該ウェブに接触することなく該２本のアプリケータロールのうちの一方の表面側に押圧」するものであり、本願明細書の図１，図２に示すようにミニターンバー４の面に臨みウェブ１がアプリケータロール２の表面に押し付けられるため、ウェブ１が一方のアプリケータロール２表面から剥離する角度αが大きくなってこの剥離位置が安定するという効果が得られるのである。」旨主張している。しかしながら、「ウェブ１が一方のアプリケータロール２表面から剥離する角度αが大きくなって」なる作用又は効果は、「圧縮空気によって該ウェブに接触することなく該２本のアプリケータロールのうちの一方の表面側に押圧」するという発明特定事項、又は、「空気浮上式ミニターンバーが、該一方のアプリケータロール表面に近接した位置に設けられた」という発明特定事項のみから得られるものではなく、本願明細書段落００２４において「つまり、図１，図２に示すように、
ミニターンバー４を配設することにより、アプリケータロール２のニップ部２０を通過したウェブ１は、一方のアプリケータロール２表面に抱かれた状態で走行した後、ミニターンバー４設置位置から既設のターンバー５設置位置に向かって強制的に引き剥がされるようになり
　
　また、本願発明を全体として検討しても、引用例記載の発明から予測される以上の格別の効果を奏するとも認められない。
　
　なお、審判請求人の上記主張の意図を参酌しても、本願出願前に頒布された刊行物である上記参考文献には、特に、技術的課題並びに解決手段としてのＦＩＧ．２、ＦＩＧ．３Ｂ（a blowing roll 23B)及びＦＩＧ．３Ｃ（an air turning device 23C）に関連する記載からみて、本願発明と同様の「ウェブ１が一方のアプリケータロール２表面から剥離する角度αが大きくな」る発明が記載されていると認められるので参照されたい。
　
４．むすび 
　以上のとおり、本願発明は、引用例記載の発明に基いて当業者が容易に発明をすることができたものであるから、特許法第２９条第２項の規定により特許を受けることができない。 
　よって、結論のとおり審決する。